【手続補正書】
【提出日】平成16年3月24日(2004.3.24)
【手続補正１】
【補正対象書類名】明細書
【補正対象項目名】特許請求の範囲
【補正方法】変更
【補正の内容】
【特許請求の範囲】
【請求項１】
ユーザの在席状態を判断する在席判断手段と、
該在席判断手段の判断結果に基づいて、実行すべき処理を決定する処理決定手段と、
該処理決定手段により決定された処理を実行する処理手段とを有することを特徴とする情報処理装置。
【請求項２】
他の装置からユーザの在席情報を取得する在席情報取得手段と、
該在席情報取得手段により取得されたユーザの在席情報に対応する装置を同定する同定手段と、
該同定手段により同定された装置に基づいてユーザの在席場所を通知する通知手段とを有することを特徴とする情報処理装置。
【請求項３】
他の情報処理装置と通信可能な情報処理装置であって、
前記他の情報処理装置から、ユーザが当該他の装置において中断した処理に関する情報を取得する中断処理情報取得手段と、
該中断処理情報取得手段により取得された情報に基づいて、前記他の情報処理装置において中断した処理を再開する処理再開手段とを有することを特徴とする情報処理装置。
【請求項４】
ユーザの在席状態を判断する在席判断工程と、
該在席判断工程の判断結果に基づいて、実行すべき処理を決定する処理決定工程と、
該処理決定工程により決定された処理を実行する処理工程とを有することを特徴とする情報処理方法。
【請求項５】
ユーザの在席状態を指示する指示工程と、
該指示工程の指示に基づいて、ユーザ在席情報を更新記憶する更新記憶工程とを有し、
前記在席判断工程が、前記ユーザ在席情報を参照して判断を実行することを特徴とする請求項４に記載の情報処理方法。
【請求項６】
ユーザの在席状態を推測する在席推測工程を有し、
該在席推測工程による推測に基づいて、前記在席判断工程での判断を実行することを特徴とする請求項４に記載の情報処理方法。
【請求項７】
ユーザの予定を記憶するスケジュール情報記憶工程を有し、
前記在席推測工程が、前記ユーザの予定を参照することで推測を実行することを特徴とする請求項６に記載の情報処理方法。
【請求項８】
ユーザが実行しようとしていることを記憶する実行リスト記憶工程を有し、
前記在席推測工程では、前記実行リストを参照することで推測を実行することを特徴とする請求項６に記載の情報処理方法。
【請求項９】
ユーザが実行したことの履歴を記憶する履歴記憶工程を有し、
前記在席推測工程では、前記履歴を参照することで推測を実行することを特徴とする請求項６に記載の情報処理方法。
【請求項１０】
情報を受信する受信工程と、
該受信工程により受信した情報を解析する受信情報解析工程とを有し、
前記在席推測工程では、前記受信情報解析工程の解析結果に基づいて推測を実行することを特徴とする請求項６に記載の情報処理方法。
【請求項１１】
前記解析結果が、ユーザが前記情報を受信した装置以外の装置の近くにいることを示している場合に、前記在席推測工程では、ユーザが前記受信した装置の近くにいないと判断することを特徴とする請求項１０に記載の情報処理方法。
【請求項１２】
ユーザの在席状態を検出する検出工程を有し、
該検出工程の検出結果に基づいて、前記在席判断工程での判断を実行することを特徴とする請求項４に記載の情報処理方法。
【請求項１３】
前記検出工程では、ユーザが携帯する方法の発する信号を検出することを特徴とする請求項１２に記載の情報処理方法。
【請求項１４】
前記検出工程では、方法付近の映像を監視する工程を含むことを特徴とする請求項１２に記載の情報処理方法。
【請求項１５】
前記処理決定工程では、ユーザが前記処理工程を実行する装置の近くにいると判断された場合、実行すべき処理を在席処理に決定することを特徴とする請求項４に記載の情報処理方法。
【請求項１６】
前記在席処理とは、緊急情報の通知であることを特徴とする請求項１５の情報処理方法。
【請求項１７】
前記在席処理とは、入力情報の要求であることを特徴とする請求項１５の情報処理方法。
【請求項１８】
前記処理決定工程では、ユーザが前記処理工程を実行する装置の近くにいないと判断された場合、実行すべき処理を不在処理に決定することを特徴とする請求項４に記載の情報処理方法。
【請求項１９】
前記不在処理とは、装置を他の人が使用できないようにロックする処理であることを特徴とする請求項１８の情報処理方法。
【請求項２０】
前記ロックをセキュリティ上許可されない情報及び処理について実行することを特徴とする請求項１９の情報処理方法。
【請求項２１】
前記不在処理とは、ユーザがいる場所を報知する処理であることを特徴とする請求項１８に記載の情報処理方法。
【請求項２２】
前記不在処理とは、他の人物に対して伝言を報知する処理であることを特徴とする請求項１８に記載の情報処理方法。
【請求項２３】
前記不在処理とは、来客の伝言の入力を許可し、入力された伝言を記憶する処理であることを特徴とする請求項１８に記載の情報処理方法。
【請求項２４】
前記不在処理とは、不在時の受信情報に対して、所定の処理を実行する処理であることを特徴とする請求項１８に記載の情報処理方法。
【請求項２５】
前記所定の処理とは、不在時の受信情報の送信元に不在通知を返送する処理であることを特徴とする請求項２４に記載の情報処理方法。
【請求項２６】
前記在席判断工程では、ユーザの在席状態の変化を判断し、ユーザが席を離れると判断された場合に、前記処理決定工程では、実行すべき処理を離席処理に決定することを特徴とする請求項４に記載の情報処理方法。
【請求項２７】
前記離席処理とは、ユーザに対する所定の情報の通知であることを特徴とする請求項２６に記載の情報処理方法。
【請求項２８】
前記離席処理とは、ユーザの在席を示す情報の変更であることを特徴とする請求項２６に記載の情報処理方法。
【請求項２９】
前記在席判断工程では、ユーザの在席状態の変化を判断し、ユーザが席に戻ったと判断された場合に、前記処理決定工程では、実行すべき処理を帰席処理に決定することを特徴とする請求項４に記載の情報処理方法。
【請求項３０】
前記帰席処理とは、ユーザに対する所定の情報の通知であることを特徴とする請求項２９に記載の情報処理方法。
【請求項３１】
前記所定の情報とは、不在時の処理内容であることを特徴とする請求項３０に記載の情報処理方法。
【請求項３２】
前記処理内容とは、入力された伝言または受信情報であることを特徴とする請求項３１に記載の情報処理方法。
【請求項３３】
前記帰席処理とは、ロックの解除であることを特徴とする請求項２９に記載の情報処理方法。
【請求項３４】
前記帰席処理とは、ユーザの在席を示す情報の変更であることを特徴とする請求項２９に記載の情報処理方法。
【請求項３５】
前記帰席処理とは、ユーザが席を外した時の作業中の環境を復帰する処理であることを特徴とする請求項２９に記載の情報処理方法。
【請求項３６】
前記帰席処理とは、ユーザの在席を他の方法に通知する処理であることを特徴とする請求項２９に記載の情報処理方法。
【請求項３７】
前記在席判断工程により、ユーザの在席状態が不明であった場合、前記処理決定工程が、実行すべき処理を在席不明処理に決定することを特徴とする請求項４に記載の情報処理方法。
【請求項３８】
前記在席不明処理とは、ユーザの在席状態の問い合せを行なう処理であることを特徴とする請求項３７に記載の情報処理方法。
【請求項３９】
前記在席判断工程で、ユーザの在席状態に矛盾があると判断した場合、前記処理決定工程では、実行すべき処理を在席矛盾処理に決定することを特徴とする請求項４に記載の情報処理方法。
【請求項４０】
前記在席判断工程では、ある情報に基づいて判断されるユーザの在席状態と、別の情報に基づいて判断されるユーザの在席状態とが異なるとき、ユーザの在席状態に矛盾があると判断することを特徴とする請求項３９に記載の情報処理方法。
【請求項４１】
前記在席矛盾処理とは、在席するとされたユーザが真のユーザかどうかを確認する処理であることを特徴とする請求項３９に記載の情報処理方法。
【請求項４２】
前記在席矛盾処理とは、矛盾すると判断されたことを通知する処理であることを特徴とする請求項３９に記載の情報処理方法。
【請求項４３】
前記在席矛盾処理とは、処理をロックする処理であることを特徴とする請求項３９に記載の情報処理方法。
【請求項４４】
他の装置からユーザの在席情報を取得する在席情報取得工程と、
該在席情報取得工程により取得されたユーザの在席情報に対応する装置を同定する同定工程と、
該同定工程により同定された方法に基づいてユーザの在席場所を通知する通知工程とを有することを特徴とする情報処理方法。
【請求項４５】
前記通知工程は、ユーザの在席場所を表示する表示工程であることを特徴とする請求項４４に記載の情報処理方法。
【請求項４６】
他の情報処理装置と通信可能な情報処理装置において、
前記他の情報処理装置から、ユーザが当該他の方法において中断した処理に関する情報を取得する中断処理情報取得工程と、
該中断処理情報取得工程により取得された情報に基づいて、前記他の情報処理装置において中断した処理を再開する処理再開工程とを有することを特徴とする情報処理方法。
【請求項４７】
他の情報処理装置から該装置のユーザの離席情報を受信する受信工程と、
受信した離席情報に関するユーザと装置とを対応づけて記憶する離席情報記憶工程とを有し、
前記中断処理情報取得工程が、新たなユーザに関する離席情報が前記離席情報記憶工程に記憶されている場合に、当該離席情報に関する装置から、ユーザが中断した処理に関する情報を取得することを特徴とする請求項４６に記載の情報処理方法。